(57)【要約】  手洗い用液体食器洗剤組成物を使用する手作業による食器洗浄方法が提供され、洗剤組成物はアニオン性界面活性剤と、２，１００，０００以下の分子量及び０．４５ｍｅｑ／ｇ以上の電荷密度を有するカチオン性ポリマーと、を含む。この組成物は、皮膚ケアをもたらすために、少なくとも２．５％の希釈時コアセルベーション指数を有する。【特許請求の範囲】
【請求項１】
少なくとも１つのアニオン性界面活性剤と、２，１００，０００以下の平均分子量及び０．４５ｍｅｑ／ｇ以上のカチオン電荷密度を有する少なくとも１つのカチオン性ポリマーと、を含む食器手洗い用液体洗剤を使用する手作業による食器洗浄方法であって、前記組成物が少なくとも２．５％、好ましくは少なくとも３．５％、より好ましくは少なくとも６％の希釈時コアセルベーション指数を有し、前記方法が前記組成物を前記食器に適用する工程を含む、方法。
【請求項２】
前記カチオン性ポリマーが５，０００〜２，１００，０００、好ましくは１５，０００〜１，０００，０００、より好ましくは５０，０００〜６００，０００、更により好ましくは３５００００〜５０００００の平均分子量を有する、請求項１に記載の方法。
【請求項３】
前記カチオン性ポリマーが０．４５ｍｅｑ／ｇ以上、好ましくは０．４５〜５ｍｅｑ／ｇ、より好ましくは０．４５〜２．３ｍｅｑ／ｇ、更により好ましくは０．４５〜１．５ｍｅｑ／ｇのカチオン電荷密度を有する、請求項１又は２に記載の方法。
【請求項４】
前記カチオン性ポリマーがカチオン性多糖であり、好ましくはカチオン性セルロース誘導体、カチオン性グアーガム誘導体及びこれらの混合物からなる群から選択され、より好ましくはカチオン性グアーガム誘導体である、請求項１〜３のいずれか一項に記載の方法。
【請求項５】
前記カチオン性ポリマーが、前記組成物全体の０．００１重量％〜１０重量％、好ましくは０．０１重量％〜５重量％、より好ましくは０．０５重量％〜１重量％の濃度で存在する、請求項１〜４のいずれか一項に記載の方法。
【請求項６】
前記アニオン性界面活性剤が前記組成物全体の４重量％〜４０重量％、好ましくは６重量％〜３２重量％、より好ましくは１１重量％〜２５重量％の濃度で含まれる、請求項１〜５のいずれか一項に記載の方法。
【請求項７】
前記アニオン性界面活性剤が、アルキルサルフェート、アルキルエトキシサルフェート及びこれらの混合物からなる群から選択され、好ましくは組み合わせた平均エトキシル化度が５未満、好ましくは３未満、より好ましくは２未満であるこれらの混合物である、請求項１〜６のいずれか一項に記載の方法。
【請求項８】
前記組成物が、０．０１重量％〜２０重量％、好ましくは０．５重量％〜１０重量％の、両性界面活性剤、双極性界面活性剤及びこれらの混合物からなる群から選択される界面活性剤、好ましくはアミンオキシド系及びベタイン系界面活性剤からなる群から選択される界面活性剤、より好ましくはココジメチルアミンオキシドを更に含む、請求項１〜７のいずれか一項に記載の方法。
【請求項９】
１〜２５モルのエチレンオキシドを有するＣ8〜Ｃ22脂肪族アルコール、アルキルポリグリコシド、脂肪酸アミド界面活性剤及びこれらの混合物からなる群から選択される、非イオン性界面活性剤を、前記液体洗剤組成物の０．１重量％〜２０重量％で更に含む、請求項１〜８のいずれか一項に記載の食器手洗い用液体洗剤組成物。
【請求項１０】
前記組成物が、レオロジー変性剤、好ましくは結晶質ヒドロキシル脂肪エステル、特に硬化ヒマシ油、結晶質ヒドロキシル多糖、特に微小繊維セルロース及びこれらの混合物からなる群から選択される、を更に含む、請求項１〜９のいずれか一項に記載の食器手洗い用液体洗剤組成物。
【請求項１１】
前記組成物が、好ましくは二酸化チタン処理被覆雲母、エチレングリコール脂肪酸エステルから誘導された真珠光沢ワックス及びこれらの混合物からなる群から選択される、真珠光沢剤を更に含む、請求項１〜１０のいずれか一項に記載の食器手洗い用液体洗剤組成物。
【請求項１２】
少なくとも１つのプロテアーゼ、好ましくはセリンプロテアーゼを更に含む、請求項１〜１１のいずれか一項に記載の食器手洗い用液体洗剤組成物。
【請求項１３】
少なくとも１つの保湿剤、好ましくはグリセロール、ソルビトール、乳酸ナトリウム及び尿素又はこれらの混合物からなる群から選択される保湿剤を更に含む、請求項１〜１２のいずれか一項に記載の食器手洗い用液体洗剤組成物。
【請求項１４】
皮膚軟化剤、好ましくは炭化水素油及びワックス、植物油、天然ワックス並びにこれらの混合物からなる群から選択される疎水性皮膚軟化剤を更に含む、請求項１〜１３のいずれか一項に記載の食器手洗い用液体洗剤組成物。
【請求項１５】
少なくとも１つのアニオン性界面活性剤と、２，１００，０００以下の分子量及び０．４５ｍｅｑ／ｇ以上のカチオン電荷密度を有する少なくとも１つのカチオン性ポリマーと、を含む食器手洗い用液体洗剤組成物の使用であって、前記組成物が、手作業による食器洗浄操作中に皮膚、特に手に対してプラスの利点、好ましくはプラスの皮膚外観の利点、より好ましくは皮膚感触及び／又は保湿効果を与えるために、少なくとも２．５％、好ましくは少なくとも３．５％、より好ましくは少なくとも６％の希釈時コアセルベーション指数を有する、使用。
【請求項１６】
手作業による食器洗浄操作中の、皮膚に対する優れたプラスの利点、好ましくはプラスの皮膚外観の利点、より好ましくは皮膚感触及び／又は保湿効果のためにアニオン性界面活性剤及びカチオン性ポリマーを含む組成物を選択するための、明細書に記載の希釈時コアセルベーション指数の使用。
【発明の詳細な説明】
【技術分野】
【０００１】
本発明は、アニオン性界面活性剤と、２，１００，０００以下の分子量及び０．４５ｍｅｑ／ｇ以上の電荷密度を有するカチオン性ポリマーと、を含む、食器手洗い用液体洗剤組成物を用いる手作業による食器洗浄方法に関し、このような組成物は少なくとも２．５％の希釈時コアセルベーション指数（coacervation index）を有する。本発明は、手作業による食器洗浄操作の一連の作業時の皮膚損傷の防止並びに皮膚の全体的外観及び感触の改善方法に更に関する。
【背景技術】
【０００２】
手作業による食器洗浄操作時に、使用者の手は、界面活性剤、及び皮膚の水和の損失を生じる及び／又は皮膚の炎症を生じる他の成分を含有する、食器洗浄洗剤に曝露される。その結果、多くの使用者は食器洗浄プロセス後に皮膚の炎症及び乾燥を経験することになり、多くの場合、使用者はうるおいを回復させるために鎮静又は保湿製品を塗布する必要を感じる。
【０００３】
１つのアプローチは、皮膚に対してより穏やかな界面活性剤を含む洗剤組成物を配合するというものであった。同様に、軽質液体洗剤への皮膚保護成分の組み込みも、当該技術分野において知られている（例えば、国際公開第９９／２４５３５号、同第９７／４４４２３号及び日本国特許第２００５−１７９４３８号）。他のアプローチには、皮膚感覚に対して有益な効果を有する活性成分の、洗剤組成物への組み込みが含まれた（すなわち国際公開第０７／０２８５７１号）。しかしながら、食器洗浄に多くの場合関連する希釈条件を前提とすると、皮膚保護成分は皮膚上に必ずしもうまく付着しない。したがって、これらは、手作業による食器洗浄用の洗剤に必要とされる高い泡立ち特性及び／又は洗浄性能が損なわれることになる程の濃度で使用しない限り、求められる皮膚ケア効果をもたらさない。これは非常に高価な配合となる。これはまた、原料及び最終製品のレオロジー制御並びに投与制限内の所望の活性レベルでの製品中への原料の組み込みなどの加工性制限も上げる。
【先行技術文献】
【特許文献】
【０００４】
【特許文献１】国際公開第９９／２４５３５号
【特許文献２】国際公開第９７／４４４２３号
【特許文献３】日本国特許第２００５−１７９４３８号
【特許文献４】国際公開第０７／０２８５７１号
【発明の概要】
【発明が解決しようとする課題】
【０００５】
したがって、より費用対効果に優れており、穏やかであり、皮膚を水和及び／又は調湿する効果を有し、加工するのに容易である、食器手洗い用液体洗剤組成物に対する要求はいまだに満たされていない。
【０００６】
アニオン性界面活性剤と、２，１００，０００以下の分子量及び０．４５ｍｅｑ／ｇ以上の電荷密度を有するカチオン性ポリマーと、を含む食器手洗い用液体洗剤組成物（このような組成物は、少なくとも２．５％の希釈時コアセルベーション指数を有する）が、食器手洗い操作中に非常に効率的な皮膚調湿をもたらし、一方で、非常に費用対効果に優れた方法で、組成物に必要とされる洗浄及び泡立ち特性を維持し、かつ優れた製造加工性を有することが、驚くべきことに判明した。このような効率的及び費用対効果に優れた皮膚ケア効果は更には、手作業による食器洗浄に関連する希釈条件下で、及び更なる追加的皮膚ケア技術を用いずとも達成される。
【課題を解決するための手段】
【０００７】
第一実施形態では、本発明は、アニオン性界面活性剤と、２，１００，０００以下の分子量及び０．４５ｍｅｑ／ｇ以上の電荷密度を有するカチオン性ポリマーと、を含む、食器手洗い用液体洗剤組成物を用いる手作業による食器洗浄方法に関し、このような組成物は少なくとも２．５％の希釈時コアセルベーション指数を有する。
【０００８】
第二実施形態では、本発明は、食器洗浄操作中に、皮膚保湿、皮膚感触及び皮膚外観効果を送達する方法に関し、より具体的には手の皮膚にこのような組成物を送達する方法に関する。
【発明を実施するための形態】
【０００９】
本明細書で使用するとき、「グリース」とは、少なくとも一部（すなわち、グリースの少なくとも０．５重量％）に、飽和及び不飽和の油脂、好ましくは牛肉及び／又は鶏肉のような動物性原料に由来する油脂を含む物質を意味する。
【００１０】
本明細書で使用するとき、「食器」とは、セラミック、陶器、金属、ガラス、プラスチック（ポリエチレン、ポリプロピレン、ポリスチレンなど）、及び木で作製された、皿、グラス、深鍋、鍋、焼き皿、及び銀食器などの、表面を意味する。
【００１１】
本明細書で使用する時、「食器手洗い用液体洗剤組成物」とは、手作業による（すなわち、手による）食器洗浄で使用される組成物を指す。そのような組成物は、一般的に、泡立ち、つまり発泡性が事実上高い。
【００１２】
本明細書で使用するとき、「洗浄」とは、洗浄、及び／又は消毒のために表面に適用することを意味する。
【００１３】
本明細書で使用するとき、「皮膚効果」は、皮膚水和及び／又は皮膚保湿レベル及び／又は皮膚調湿の維持又は増加、並びに、皮膚感触及び手の外観に対するプラスの利点を意味する。本明細書で使用するとき、「保湿」は、皮膚からの水の蒸発を最小化するための皮膚バリアの改善を介する、皮膚の水分レベルの最適化を意味する。
【００１４】
本明細書で使用するとき、「泡立ち特性」は、本発明の液体洗剤組成物の使用によりもたらされる、洗浄プロセスの全体を通した泡立ちの量（多さ又は少なさ）及び泡立ちの持続性（持続的な泡立ち）を意味する。本明細書で使用するとき、「泡立ち性が高い」は、泡立ち性が高く（すなわち消費者に許容されると考えられる泡立ちレベル）、かつ泡立ちを維持する（すなわち食器洗浄操作にわたって高レベルで泡立ちが維持される）、食器手洗い用液体洗剤組成物を指す。このことは、消費者が、泡立ちの高さを洗剤組成物の性能の目安として用いることから、液体食器類洗浄洗剤組成物に関して特に重要である。更に、食器洗浄液体洗剤組成物の消費者は、洗浄液がまだ活性洗剤成分を含有していることの目安としても、泡立ち特性を使用する。消費者は、通常、泡立ちがなくなったときに洗浄液を新しくする。したがって、泡立ちの少ない液体食器用洗浄洗剤組成物の製剤は、泡立ちの程度が少ないために、消費者によって、必要以上に頻繁に取り替えられる傾向がある。
【００１５】
食器類の洗浄／処理プロセス
本発明の方法は、驚くべきことに、十分な食器洗浄性能及び泡立ち特性と、必要な製品安定性と、を維持する一方で、向上され、対費用効果に優れた皮膚ケア効果、特に皮膚の保湿、なめらかさ、柔軟性、しなやかさ、及び向上された皮膚外観などといった感覚的利益をもたらす。
【００１６】
本発明は、アニオン性界面活性剤と、２，１００，０００以下の分子量及び０．４５ｍｅｑ／ｇ以上の電荷密度を有するカチオン性ポリマーと、を含む、液体洗剤組成物を用いて食器を洗浄するプロセスに関し、このような組成物は少なくとも２．５％の希釈時コアセルベーション指数を有する。上記プロセスは、この組成物を典型的には希釈又は未希釈形態にて食器類の表面に適用する工程と、上記組成物をすすぐ工程、あるいは表面をすすがず上記組成物を表面に残したまま乾燥させる工程と、を含む。
【００１７】
「その未希釈形態」とは、本明細書において、適用される前（直前）にユーザーによって０ｇｐｇの水硬度にて希釈されることなく、処理される表面及び／又は洗浄装置若しくは用具（布巾、スポンジ又は皿用ブラシ）に直接適用されることを意味する。「希釈形態」とは、本明細書において、前述の液体組成物を、適切な溶媒、典型的には水でユーザーが希釈することを意味する。本明細書では「すすぐ」とは、本明細書の液体組成物を前述の食器に適用する工程の後、本発明に従うプロセスで洗浄される食器と、大量の適切な溶媒、典型的には水とを接触させることを意味する。「大量」とは、通常、約５〜約２０リットルを意味する。
【００１８】
本発明の一実施形態では、本明細書に記載の組成物は、その希釈形態で適用することができる。汚れた食器を、有効量、典型的には（処理される食器２５個当たり）約０．５ｍＬ〜約２０ｍＬ、好ましくは約３ｍＬ〜約１０ｍＬの、水で希釈した本発明の液体洗剤組成物と接触させる。使用される液体洗剤組成物の実際の量は、ユーザーの判断に基づくものであり、典型的には、組成物中の活性成分の濃度を含む、組成物の具体的な製品配合、洗浄される汚れた食器の数、食器上の汚れの程度などのような要因に応じて決定される。一般に、約０．０１ｍＬ〜約１５０ｍＬ、好ましくは約３ｍＬ〜約４０ｍＬの本発明の液体洗剤組成物が、約１０００ｍＬ〜約２００００ｍＬ、より典型的には約５０００ｍＬ〜約１５０００ｍＬの範囲の容積容量を有する流しの中の、約２０００ｍＬ〜約２００００ｍＬ、より典型的には約５０００ｍＬ〜約１５０００ｍＬの水と組み合わされる。結果として得られた希釈組成物を収容する流しの中に汚れた食器類を浸漬させ、食器類の汚れた表面を、布、スポンジ、又は類似の物品と接触させることにより、それらの表面を洗浄する。布、スポンジ、又は同様の物品は、食器類表面と接触する前に洗剤組成物と水との混合物に浸漬されてもよく、典型的には、約１〜約１０秒間の範囲の時間にわたって食器類表面と接触するが、実際の時間は、各適用及びユーザーによって異なる。布、スポンジ、又は類似の物品を食器表面に接触させることは、好ましくは、同時に食器表面を擦ることを伴う。
【００１９】
本発明の別の方法は、液体食器類洗浄洗剤なしで水浴中に汚れた食器類を浸漬するか、又は流水下に保持することを含む。スポンジのような、液体食器類洗浄洗剤を吸収する道具は、別の分量の非希釈の液体食器類洗浄組成物中に、典型的には約１〜約５秒間の範囲の時間にわたって、直接入れられる。次に吸収道具、ひいては非希釈の液体食器類洗浄組成物が、汚れた食器類のそれぞれの表面に個々に接触して、汚れを除去する。吸収道具は、典型的には、約１〜約１０秒間の範囲の時間にわたってそれぞれの食器類表面と接触するが、実際の適用時間は、食器類の汚れの程度などの要因に左右されることになる。吸収道具を食器類表面に接触させることは、好ましくは、同時に擦ることを伴う。
【００２０】
あるいは、道具は、食器表面と接触するのに先だって、手洗い用食器類洗浄組成物と水との混合物中に浸漬されてもよく、上記濃縮溶液は、洗浄道具を収容できる小さい容器内で、ユーザーの習慣と、洗浄作業とに応じて手洗い用食器類洗浄液体：水の比が、それぞれ約９５：５〜約５：９５、好ましくは約８０：２０〜約２０：８０、より好ましくは約７０：３０〜約３０：７０の範囲で、手洗い用食器類洗浄組成物を水で希釈することにより作製される。
【００２１】
組成物を使用する地域に依存して、本発明の方法において使用される水は、約０〜３０ｇｐｇの硬度を有し得る（「ｇｐｇ」は、当業者には周知である水硬度の尺度であり、「１ガロンあたりのグレイン数」を表す）。
【００２２】
皮膚の保湿方法
別の実施形態では、本発明は、手作業による食器洗浄操作中にプラス皮膚ケア利点、より具体的にはプラスの皮膚感触利点、及び、皮膚、特に手の皮膚に対する外観の改善をもたらすための、食器手洗い用液体洗剤組成物の使用に関する。この操作は、食器洗浄操作を行う人の皮膚を本発明の組成物と接触させる工程を含む。本方法の食器手洗い用液体組成物は、本明細書に記載の「食器の洗浄／処理プロセス」に概説されるように、未希釈形態、あるいは希釈形態又は濃縮プレミックス形態であり得る。
【００２３】
液体組成物
本明細書において、食器手洗い用液体組成物は、３０重量％〜９５重量％の、好ましくは４０重量％〜８０重量％の、より好ましくは５０重量％〜７５重量％の水性液体キャリアを典型的には含有し、このキャリアには他の必須成分及び任意組成物成分が溶解、分散、又は懸濁している。水性液体キャリアの１つの好ましい構成成分は、水である。
【００２４】
本明細書の食器手洗い用液体組成物は、任意の好適なｐＨを有し得る。好ましくは組成物のｐＨは３〜１４、より好ましくは６〜１３、最も好ましくは８〜１０に調整される。組成物のｐＨは、当該技術分野において既知のｐＨ修正成分を使用して調整することができる。
【００２５】
本明細書の食器手洗い用液体組成物は好ましくは増粘され、好ましくは２０ｓ−１及び２０℃において、５０〜３０００センチポアズ（５０〜３０００ｍＰａ．ｓ）、より好ましくは１００〜２５００センチポアズ（１００〜２５００ｍＰａ．ｓ）、最も好ましくは５００〜２０００センチポアズ（５００〜２０００ｍＰａ．ｓ）の粘度を有する。粘度は、従来方法により、例えば、直径４０ｍｍ及び間隙サイズ５００μｍにて鋼板スピンドルを用いて、ＴＡ  ｉｎｓｔｒｕｍｅｎｔｓのＡＲ  ５５０レオメーターを使用して測定することができる。２０ｓ−１での高せん断粘度及び０．０５ｓ−１での低せん断粘度は、２０℃で３分間の０．１ｓ−１〜２５ｓ−１の対数せん断速度掃引（logarithmic shear rate sweep）から得ることができる。本明細書に記載される好ましいレオロジーは、内部に存在する洗剤成分による構造化を使用して、又は外的レオロジー変性剤を用いることによって、達成することができる。
【００２６】
カチオン性ポリマー
本明細書の食器手洗い用液体組成物は、２，１００，０００以下の分子量及び０．４５ｍｅｑ／ｇ以上の電荷密度を有するカチオン性ポリマーを少なくとも１つ含む。典型的にはカチオン性ポリマーは、組成物全体の０．００１重量％〜１０重量％、好ましくは０．０１重量％〜５重量％、より好ましくは０．０５重量％〜１重量％の濃度で存在する。
【００２７】
カチオン性ポリマーの平均分子量（ＭＷ）は、好ましくは５，０００〜２，１００，０００、好ましくは１５，０００〜１，０００，０００、より好ましくは５０，０００〜６００，０００、更により好ましくは３５０，０００〜５００，０００である。ポリマー水溶液の加工性を制限するなどの望ましくない高レオロジー特性を回避するために、食器洗浄における活性強化を回避するために、並びに、最終製品配合物における相安定性ストレスを回避するために、高分子量は回避すべきであることが判明している。
【００２８】
ポリマーは、０．４５ｍｅｑ／ｇ以上、好ましくは０．４５〜５ｍｅｑ／ｇ、より好ましくは０．４５〜２．３ｍｅｑ／ｇ、更により好ましくは０．４５〜１．５ｍｅｑ／ｇの目標のカチオン電荷密度により更に特徴付けられる。このような電荷密度は、適切なコアセルベートの形成、皮膚上への付着、したがって、求められる皮膚効果のために必要とされることが判明している。
【００２９】
本明細書で使用するとき、カチオンポリマーの「電荷密度」は、ポリマー１グラム原子量（分子量）あたりのカチオン部位の数として定義され、カチオン電荷のｍｅｑ／グラムに換算して表すことができる。電荷密度値は、考慮しているポリマーが有する（すなわち、最大プロトン化条件下の）最大固有電荷密度として、読み取るべきである。ポリマーが、水及び液体手洗い用食器洗浄マトリックス中に可溶性のままであり、対イオンがこの液体手洗い用食器洗浄液の必須成分に関して物理的及び化学的に安定であり、あるいは製品性能、安定性ないしは美観を過度に損なうことのない限り、任意のアニオン性対イオンをカチオン性ポリマーと会合させて使用することができる。こうした対イオンの非限定的な例としては、ハロゲン化物（例えば、塩素、フッ素、臭素、ヨウ素）、サルフェート及びメチルサルフェートが挙げられる。
【００３０】
本発明での使用に好適なカチオン性ポリマーは、第四級アンモニウム又はカチオン性プロトン化アミノ部分のようなカチオン性窒素含有部分を含有する。
【００３１】
水溶性カチオン化ポリマーの具体例としては、カチオン化セルロース誘導体、カチオン化デンプン及びカチオン化グアーガム誘導体などのカチオン性多糖が挙げられる。同様に、ジアリル第四級アンモニウム塩ホモポリマー、ジアリル第四級アンモニウム塩／アクリルアミドコポリマー、第四級化ポリビニルピロリドン誘導体、ポリグリコールポリアミン縮合体、ビニルイミダゾリウムトリクロリド／ビニルピロリドンコポリマー、ジメチルジアリルアンモニウムクロリドコポリマー、ビニルピロリドン／第四級化ジメチルアミノエチルメタクリレートコポリマー、ポリビニルピロリドン／アルキルアミノアクリレートコポリマー、ポリビニルピロリドン／アルキルアミノアクリレート／ビニルカプロラクタムコポリマー、ビニルピロリドン／メタクリルアミドプロピルトリメチルアンモニウムクロリドコポリマー、アルキルアクリルアミド／アクリレート／アルキルアミノアルキルアクリルアミド／ポリエチレングリコールメタクリレートコポリマー、アジピン酸／ジメチルアミノヒドロキシプロピルエチレントリアミンコポリマー（「Ｃａｒｔａｒｅｔｉｎ」−Ｓａｎｄｏｚ／ＵＳＡ製品）、及び任意選択的に、アルキルアミド由来の単位を介してポリマー主鎖に結合する、少なくとも１つの複素環式末端基を有する第四級化／プロトン化縮合ポリマー（結合は所望により（国際公開第２００７  ０９８８８９号、２〜１９頁に記載のように）置換されたエチレン基を含む）などの合成的に誘導されるコポリマーが挙げられる。
【００３２】
上記の水溶性カチオン化ポリマーの、具体的な、但し非限定的な市販品の例は、「Ｍｅｒｑｕａｔ  ５５０」（アクリルアミドとジアリルジメチルアンモニウム塩とのコポリマー−ＣＴＦＡ名：ポリクオタニウム−７、ＯＮＤＥＯ−ＮＡＬＣＯ製品）、「Ｇａｆｑｕａｔ  ７５５Ｎ」（１−ビニル−２−ピロリドンとジメチルアミノエチルメタクリレート樹脂のコポリマー−ＣＴＦＡ名：ポリクアテルニウム−１１、ＩＳＰからの製品）、「Ｐｏｌｙｍｅｒ  ＫＧ」、「Ｐｏｌｙｍｅｒ  ＪＲ  ｓｅｒｉｅｓ」及び「Ｐｏｌｙｍｅｒ  ＬＲ  ｓｅｒｉｅｓ」（トリメチルアンモニウム置換エポキシドとヒドロキシエチルセルロースとの反応生成物の塩−ＣＴＦＡ名：ポリクアテルニウム−１０、Ａｍｅｒｃｈｏｌの製品）、「ＳｏｆｔＣａｔ」ポリマーシリーズ（トリメチルアンモニウム及びジメチルドデシルアンモニウムのカチオン性置換を有する四級化ヒドロキシエチルセルロース誘導体−ＣＴＦＡ名：ポリクアテルニウム６７、Ａｍｅｒｃｈｏｌの製品）、並びに、Ｒｈｏｄｉａからの「Ｊａｇｕａｒ  ｓｅｒｉｅｓ」、Ａｑｕａｌｏｎからの「Ｎ−ｈａｎｃｅ」シリーズ及びＡｑｕａＣａｔ「シリーズ」（グアーヒドロキシプロピルトリモニウムクロリド及びヒドロキシプロピルグアーヒドロキシプロピルトリモニウムクロリド）である。
【００３３】
好ましいカチオン性ポリマーは、カチオン性多糖、より好ましくはカチオン性セルロース誘導体及び／又はカチオン性グアーガム誘導体、更に好ましくはカチオン性グアーガム誘導体である。カチオン性セルロース誘導体は、例えば、トリメチルアンモニウム置換エポキシドと反応したヒドロキシエチルセルロースの塩であり、業界（ＣＴＦＡ）ではポリクアテルニウム−１０と呼ばれ、例えば、Ｄｏｗ  ＡｍｅｒｃｈｏｌからのＵＣＡＲＥ  ＪＲ３０Ｍ及びＵｃａｒｅ  ＫＧ３０Ｍが挙げられる。カチオン性グアーガム誘導体は、グアーヒドロキシプロピルトリモニウムクロリドであり、例えば、ＲｈｏｄｉａからのＪａｇｕａｒ（登録商標）シリーズ、Ａｑｕａｌｏｎから入手可能なＮ−Ｈａｎｃｅ（登録商標）及びＡｑｕａＣａｔ（登録商標）ポリマーシリーズが挙げられ、これらの具体的ではあるが限定するものではない市販例は、Ｊａｇｕａｒ（登録商標）Ｃ−５００、Ｎ−Ｈａｎｃｅ（登録商標）３２７０、Ｎ−Ｈａｎｃｅ（登録商標）３１９６及びＡｑｕａＣａｔ（登録商標）ＣＧ５１８である。
【００３４】
アニオン性界面活性剤
本発明の組成物は、典型的には組成物全体の４重量％〜４０重量％、好ましくは６重量％〜３２重量％、より好ましくは１１重量％〜２５重量％の濃度でアニオン性界面活性剤を含む。好ましい実施形態では、組成物は、組成物全体の１５重量％以下、好ましくは１０重量％以下、より好ましくは５重量％以下のスルホネート系界面活性剤を有する。
【００３５】
本発明の組成物及び方法で使用するのに好適なアニオン性界面活性剤はサルフェート、スルホネート、スルホサクシネート及び／又はスルホアセテートであり、好ましくはアルキルサルフェート及び／又はアルキルエトキシサルフェートであり、より好ましくは組み合わせたエトキシル化度が５未満、好ましくは３未満、より好ましくは２未満であるアルキルサルフェート及び／又はアルキルエトキシサルフェートの組み合わせである。
【００３６】
サルフェート系界面活性剤−好適なサルフェート系界面活性剤としては、Ｃ10〜Ｃ14アルキル若しくはヒドロキシアルキル、サルフェート及び／又はエーテルサルフェートの水溶性塩又は酸が挙げられる。好適な対イオンとしては、水素、アルカリ金属カチオン、又はアンモニウム若しくは置換アンモニウムが挙げられるが、好ましくはナトリウムである。
【００３７】
ヒドロカルビル鎖が分枝状である場合、Ｃ1〜4のアルキル分枝単位を含むことが好ましい。サルフェート系界面活性剤の平均分枝率は、好ましくは、全ヒドロカルビル鎖の３０％超、より好ましくは３５％〜８０％、最も好ましくは４０％〜６０％である。
【００３８】
サルフェート系界面活性剤は、Ｃ8〜Ｃ20第一級分枝鎖及びランダムアルキルサルフェート（ＡＳ）、Ｃ10〜Ｃ18第二級（２，３）アルキルサルフェート、Ｃ10〜Ｃ18アルキルアルコキシサルフェート（ＡＥxＳ）（式中、好ましくはｘは１〜３０である）、好ましくは１〜５個のエトキシ単位を含むＣ10〜Ｃ18アルキルアルコキシカルボキシレート、米国特許第６，０２０，３０３号及び同第６，０６０，４４３号に記載の中鎖分枝状アルキルサルフェート、米国特許第６，００８，１８１号及び同第６，０２０，３０３号に記載の中鎖分枝状アルキルアルコキシサルフェート、から選択され得る。
【００３９】
アルキルスルホサクシネート−スルホアセテート：他の好適なアニオン性界面活性剤は、アルキル、好ましくはジアルキルの、スルホサクシネート及び／又はスルホアセテートである。ジアルキルスルホサクシネートは、Ｃ6〜15直鎖又は分枝鎖ジアルキルスルホサクシネートであり得る。アルキル部分は、非対称（すなわち異なるアルキル部分）であってもよく、あるいは好ましくは対称（すなわち同じアルキル部分）であってもよい。
【００４０】
スルホネート系界面活性剤：本発明の組成物は好ましくは、組成物全体の１５重量％以下、好ましくは１０％以下、更により好ましくは５重量％以下のスルホネート系界面活性剤を含む。これらのスルホネート系界面活性剤としては、Ｃ10〜Ｃ14アルキルスルホネート又はヒドロキシアルキルスルホネートの水溶性塩又は酸、Ｃ11〜Ｃ18アルキルベンゼンスルホネート（ＬＡＳ）、国際公開第９９／０５２４３号、同第９９／０５２４２号、同第９９／０５２４４号、同第９９／０５０８２号、同第９９／０５０８４号、同第９９／０５２４１号、同第９９／０７６５６号、同第００／２３５４９号及び同第００／２３５４８号に記載のような修飾アルキルベンゼンスルホネート（ＭＬＡＳ）、メチルエステルスルホネート（ＭＥＳ）、並びにα−オレフィンスルホネート（ＡＯＳ）が挙げられる。これらのスルホネート系界面活性剤としてはまた、モノスルホネート及び／又はジスルホネートであってよいパラフィンスルホネートが挙げられ、これらは１０〜２０個の炭素原子を有するパラフィンのスルホネート化により得られる。スルホネート系界面活性剤としてはまた、アルキルグリセリルスルホネート系界面活性剤が挙げられる。
【００４１】
コアセルベーション系
本発明の組成物は、脱イオン水（水硬度０ｇｐｇ）での希釈時コアセルベーション指数が２．５％以上、好ましくは３．５％以上、より好ましくは６％以上であることを示す。
【００４２】
静電及び疎水性相互作用の両方により引き起こされるアニオン性界面活性剤とカチオン性ポリマーの間の会合は、液々相分離を生じ、ポリマーに富む相（典型的にはゲル又は増粘相の形状）は、ポリマーを含まない相から分離する。この現象はコアセルベーションとして既知であり、凝結体のようなポリマー界面活性剤ゲルは、コアセルベートとして既知である。コアセルベーションは皮膚ケア活性物質（特にカチオン性ポリマー）の皮膚付着を向上させることが発見されている。理論により束縛されるものではないが、コアセルベートが形成されると、カチオン性ポリマーの付着は皮膚表面に対する上記ポリマーの固有親和性に依存しなくなると考えられている。コアセルベートは、特に洗浄又はすすぎ工程時の希釈使用条件下で皮膚調湿効果をもたらすと考えられている。実際、付着したカチオン性ポリマーは、皮膚表面上に膜を形成し、この膜は、界面活性剤の刺激性を緩和することができ、皮膚刺激及び洗剤の皮膚硬化効果を低下させ、皮膚ｐＨ緩衝能力を増加させると考えられている。更に、これにより形成されるポリマーバリアは、皮膚からの水の損失（蒸発）を防止することにより、皮膚水和レベルの向上に寄与する。これらの硬化の組み合わせは、皮膚調湿、感覚及び外観の改善を生じる。
【００４３】
本発明の更なる利点は、消費者により使用される、様々な食器洗浄方法に典型的に見出されるような条件下（すなわち、未希釈適用〜様々な希釈条件）で、最も効率的な方法において皮膚ケア効果がもたらされ得ることである。本発明の食器手洗い用液体洗剤組成物は、手作業による食器洗浄操作の一連の作業時の、皮膚の保湿及び調湿方法をもたらすために使用できる。
【００４４】
本明細書で使用するとき、「コアセルベーション指数」は、組成物の５重量％溶液（すなわち、５ｇの組成物と脱イオン水で合計１００ｇの溶液を作製する）を得るために脱イオン水（水硬度０ｇｐｇ）で希釈した時に組成物により形成されるコアセルベートの割合（％）を意味する。コアセルベーション指数又はコアセルベート率（％）は、以下の等式に従って計算される：
【００４５】
【数１】
2014511415.tif 000002
用語「コアセルベート」は、本発明の組成物を脱イオン水で希釈した時に本発明の組成物のアニオン性界面活性剤とカチオン性ポリマーとの間の相互作用により形成される凝集体を指す。
【００４６】
コアセルベーション指数方法：
本発明の組成物のコアセルベーション指数を測定するために、所与の量（ｇ）の組成物を清浄な５０ｍＬの透明な円錐形遠心管（遠心管の重量は、空の管の自重として記録される）の中に入れ、その後、脱イオン水を加えて、所望の５重量％の生成物希釈比率を達成することにより、組成物の希釈液を周囲温度（２０℃）にて調製した。例えば、２．５ｇの組成物と４７．５ｇの脱イオン水を添加して、組成物の５重量％溶液（１：２０希釈）を５０ｇ（総重量）得る。中旋回速度に設定した管旋回機（例えば、ＣＥＬ−ＧＲＯ（商標）組織培養旋回機）に遠心管を配置し、周囲温度（２０℃）で一晩混合させておく。ＳＸ４２５０スイングバケットローターを取り付けたＢｅｃｋｍａｎ−Ｃｏｕｌｔｅｒ遠心分離器Ａｌｌｅｇｒａ  Ｘ２２Ｒモデルを用いて、遠心管を周囲温度にて４５００ｒｐｍにて６０分にわたって遠心分離すると、コアセルベートは遠心管の底部に沈降する。遠心管の頂部にてコアセルベートに重なっている上清を、コアセルベートをまったく乱さないよう及び／又は注ぎ出さないように、管からデカントする。コアセルベートが流体である場合、デカントは、遠心管の底部にあるコアセルベート相に決して触れないよう又は乱さないよう、ピペット又は他の手段により上清を除去することを含み得る。上清の残渣は、吸収紙を用い、コアセルベートには触れないよう遠心管の内壁から吸い取る。次に、遠心管の重さを量って、空の管の自重を減算することにより、コアセルベートの重量（ｇ）を決定する。
【００４７】
本発明の方法での使用に好ましい組成物は、製品希釈液を調製するために使用される水の水硬度により実質的に影響されない希釈時コアセルベーション指数を示す。「実質的に影響されない」により、本明細書では、組成物のコアセルベーション指数が６％以上の値で維持されることが意味される。したがって、このような組成物は、使用する地域の水硬度とは無関係に、所望の皮膚調湿効果をもたらすことができる。それゆえに、本発明の好ましいカチオン性ポリマーは更に、例えば、１５ｇｐｇといったより高い水硬度の水で希釈した時の、対応する組成物のコアセルベーション指数を測定することにより、選択することができる。
【００４８】
更に、粘弾性を示すコアセルベートが好ましいことが分かっている。理論に束縛されるものではないが、粘弾特性は、皮膚に対するコアセルベートの接着性を向上させて、付着の向上をもたらすと考えられている。したがって、アニオン性界面活性剤を含有する洗剤組成物において、最適化された粘弾特性を有するコアセルベートを形成できるカチオン性ポリマーが、更に好ましい。粘弾特性により、流体のような特性（粘稠性）並びに固形物のような特徴（弾性）の組み合わせが意味される。粘弾特性は一般に、ストレス掃引、周波数掃引及び／又は動的回復試験などの方法を用いて、弾性又は貯蔵弾性率（Ｇ’）及び粘稠性又は損失率（Ｇ”）により測定される。
【００４９】
更なる界面活性剤
組成物は更に、非イオン性、カチオン性、両性、双極性イオン、半極性非イオン性界面活性剤、及びこれらの混合物から選択される界面活性剤を含み得る。更に好ましい実施形態では、本発明の組成物は、両性及び／又は双極性界面活性剤、より好ましくはアミンオキシド又はベタイン系界面活性剤を更に含む。
【００５０】
したがって、本発明の組成物にとって最も好ましい界面活性剤系は、（ｉ）組成物全体の４重量％〜４０重量％、好ましくは６重量％〜３２重量％、より好ましくは１１重量％〜２５重量％のアニオン性界面活性剤を、（２）液体洗剤組成物の０．０１重量％〜２０重量％、好ましくは０．２重量％〜１５重量％、より好ましくは０．５重量％〜１０重量％の両性及び／又は双極性界面活性剤、より好ましくは両性界面活性剤、更により好ましくはアミンオキシド界面活性剤と組み合わせて、含む。このような界面活性剤系は、手に非常に優しくかつ穏やかでありながらも、食器手洗い用液体組成物に必要とされる優れた洗浄性を提供することが判明している。
【００５１】
通常、界面活性剤全体の濃度は、液体洗剤組成物の１．０重量％〜５０重量％、好ましくは５重量％〜４０重量％、より好ましくは８重量％〜３５重量％である。任意の界面活性剤の非限定例が下記で考察される。
【００５２】
両性及び双極性界面活性剤
両性及び双極性界面活性剤は、液体洗剤組成物の０．０１重量％〜２０重量％、好ましくは０．２重量％〜１５重量％、より好ましくは０．５重量％〜１０重量％の濃度で含まれ得る。好適な両性及び双極性界面活性剤は、アミンオキシド及びベタインである。
【００５３】
最も好ましいものはアミンオキシドであり、特にココジメチルアミンオキシド又はココアミドプロピルジメチルアミンオキシドである。アミンオキシドは、直鎖又は中程度分枝状アルキル部分を有し得る。典型的な直鎖アミンオキシドとしては、Ｒ１  Ｃ8〜18アルキル部分を１つと、Ｃ1〜3アルキル基及びＣ1〜3ヒドロキシアルキル基からなる群から選択されるＲ２及びＲ３部分を２つ含有する、水溶性アミンオキシドが挙げられる。好ましくはアミンオキシドは式Ｒ１−Ｎ（Ｒ２）（Ｒ３）−Ｏを特徴とし、式中、Ｒ1はＣ8〜18アルキルであり、Ｒ2及びＲ3はメチル、エチル、プロピル、イソプロピル、２−ヒドロキシエチル、２−ヒドロキシプロピル及び３−ヒドロキシプロピルからなる群から選択される。直鎖アミンオキシド系界面活性剤としては、具体的には、直鎖Ｃ10〜Ｃ18アルキルジメチルアミンオキシド、及び直鎖Ｃ8〜Ｃ12アルコキシエチルジヒドロキシエチルアミンオキシドを挙げることができる。好ましいアミンオキシドとしては、直鎖Ｃ10、直鎖Ｃ10〜Ｃ12、及び直鎖Ｃ12〜Ｃ14アルキルジメチルアミンオキシドが挙げられる。本明細書で使用するとき、「中分枝状」とは、アミンオキシドが、ｎ1個の炭素原子を有する１つのアルキル部分を有し、このアルキル部分上の１つのアルキル分枝がｎ2個の炭素原子を有することを意味する。アルキル分枝は、アルキル部分の窒素のα炭素に位置する。アミンオキシドのこの種類の分枝は、内在アミンオキシドとしても当該技術分野において知られている。ｎ1とｎ2の総合計は、１０〜２４個の炭素原子、好ましくは１２〜２０個、より好ましくは１０〜１６個である。１つのアルキル部分の炭素原子の数（ｎ1）は、１つのアルキル部分と１つのアルキル分枝とが対称となるように、１つのアルキル分枝（ｎ2）と炭素原子の数がおよそ同じであるべきである。本明細書で使用するとき、「対称」は、本明細書で用いられる中分枝状アミンオキシドの少なくとも５０重量％、より好ましくは少なくとも７５重量％〜１００重量％が、│ｎ1−ｎ2│が５以下、好ましくは４、最も好ましくは０〜４の炭素原子であることを意味する。
【００５４】
アミンオキシドは、Ｃ1〜3アルキル、Ｃ1〜3ヒドロキシアルキル基、又は平均で約１〜約３個のエチレンオキシド基を含有するポリエチレンオキシド基から独立して選択される２つの部分を更に含む。好ましくは、２つの部分は、Ｃ1〜3アルキルから選択され、より好ましくは、両方にＣ1アルキルが選択される。
【００５５】
他の好適な界面活性剤としては、アルキルベタイン、アルキルアミドベタイン、アミドアゾリニウムベタイン、スルホベタイン（ＩＮＣＩスルタイン）並びにホスホベタインなどのベタインが挙げられ、好ましくは次の式（Ｉ）に合致する。
Ｒ1−［ＣＯ−Ｘ（ＣＨ2）n］x−Ｎ+（Ｒ2）（Ｒ3）−（ＣＨ2）m−［ＣＨ（ＯＨ）−ＣＨ2］y−Ｙ−（Ｉ）
式中、
Ｒ1は飽和又は不飽和Ｃ６〜２２アルキル残基であり、好ましくはＣ８〜１８アルキル残基、特に飽和Ｃ１０〜１６アルキル残基であり、例えば飽和Ｃ１２〜１４アルキル残基であり、
ＸはＮＨ、Ｃ１〜４アルキル残基Ｒ4を有するＮＲ4、Ｏ、又はＳであり、
ｎは１〜１０の数であり、好ましくは２〜５、特に３であり、
ｘは０又は１であり、好ましくは１であり、
Ｒ2、Ｒ3は独立して、ヒドロキシエチル、好ましくはメチルなどのヒドロキシ置換される可能性のあるＣ１〜４アルキル残基であり、
ｍは１〜４の数であり、特に１、２又は３であり、
ｙは０又は１であり、
ＹはＣＯＯ、ＳＯ３、ＯＰＯ（ＯＲ5）Ｏ又はＰ（Ｏ）（ＯＲ5）Ｏであり、Ｒ5は水素原子Ｈであるか又はＣ１〜４アルキル残基である。
【００５６】
好ましいベタインは式（Ｉａ）のアルキルベタイン、式（Ｉｂ）のアルキルアミドベタイン、式（Ｉｃ）のスルホベタイン及び式（Ｉｄ）のアミドスルホベタインである；
Ｒ1−Ｎ+（ＣＨ3）2−ＣＨ2ＣＯＯ-                                    （Ｉａ）
Ｒ1−ＣＯ−ＮＨ（ＣＨ2）3−Ｎ+（ＣＨ3）2−ＣＨ2ＣＯＯ-              （Ｉｂ）
Ｒ1−Ｎ+（ＣＨ3）2−ＣＨ2ＣＨ（ＯＨ）ＣＨ2ＳＯ3−                  （Ｉｃ）
Ｒ1−ＣＯ−ＮＨ−（ＣＨ2）3−Ｎ+（ＣＨ3）2−ＣＨ2ＣＨ（ＯＨ）ＣＨ2ＳＯ3−（Ｉｄ）、式中、Ｒ1１は、式Ｉ中と同じ意味である。特に好ましいベタインは、カルボベタイン［式中、Ｙ-＝ＣＯＯ］であり、特に式（Ｉａ）及び（Ｉｂ）のカルボベタインであり、式（Ｉｂ）のアルキルアミドベタインが最も好ましい。好ましいベタインは、ココアミドプロピルベタインである。
【００５７】
非イオン性界面活性剤
存在する場合、非イオン性界面活性剤は、液体洗剤組成物の０．１重量％〜２０重量％、好ましくは０．５重量％〜１０重量％の典型量で含まれる。好適な非イオン性界面活性剤としては、脂肪族アルコール、及び、脂肪族アルコールと１〜２５モルのエチレンオキシドとの縮合生成物が挙げられる。脂肪族アルコールのアルキル鎖は、直鎖又は分枝鎖状の、第一級又は第二級のいずれかのアルキル鎖とすることができ、一般的には、８〜２２個の炭素原子を含有する。分枝鎖脂肪族アルコールとしては、ゲルべ（guerbet）アルコール系化合物も挙げられる。特に好ましいものは、アルキル基を有し、１０〜１８個の炭素原子、好ましくは１０〜１５個の炭素原子を含有する、アルコール１モルあたり２〜１８モル、好ましくは２〜１５モル、より好ましくは５〜１２モルのエチレンオキシドを含有する、アルコールの縮合生成物である。
【００５８】
式Ｒ2Ｏ（ＣnＨ2nＯ）t（グリコシル）x（式（ＩＩＩ））を有するアルキルポリグリコシドも好適であり、式（ＩＩＩ）のＲ2は、アルキル、アルキルフェニル、ヒドロキシアルキル、ヒドロキシアルキルフェニル、及びこれらの混合物からなる群から選択され、アルキル基は、１０〜１８個、好ましくは１２〜１４個の炭素原子を含有し、式（ＩＩＩ）のｎは、２又は３、好ましくは２であり、式（ＩＩＩ）のｔは、０〜１０、好ましくは０であり、式（ＩＩＩ）のｘは、１．３〜１０、好ましくは１．３〜３、最も好ましくは１．３〜２．７である。グリコシルは、好ましくはグルコースから誘導される。同様に好適なのは、アルキルグリセロールエステル及びソルビタンエステルである。
【００５９】
Ｃ8〜Ｃ20アンモニアアミド、モノエタノールアミド、ジエタノールアミド及びイソプロパノールアミドなどの脂肪酸アミド界面活性剤も好適である。
【００６０】
カチオン性界面活性剤
カチオン性界面活性剤もまた、典型的には組成物の０．１重量％〜２０重量％で配合することができる。好適なカチオン性界面活性剤は、第四級アンモニウム界面活性剤である。好適な第四級アンモニウム界面活性剤は、モノＣ6〜Ｃ16、好ましくはＣ6〜Ｃ10  Ｎ−アルキル又はアルケニルアンモニウム界面活性剤からなる群から選択され、残りのＮ位はメチル基、ヒドロキシエチル基、又はヒドロキシプロピル基によって置換される。別の好ましいカチオン性界面活性剤は、第四級クロリンエステルのような、第四級アンモニウムアルコールのＣ6〜Ｃ18アルキル又はアルケニルエステルである。
【００６１】
レオロジー変性剤
本明細書の組成物は、任意成分としてレオロジー変性剤を更に含み得る。そのようなレオロジー変性剤を本明細書の組成物に添加する総合的な目的は、製品の厚さ、製品の注ぎやすさ、製品の光学的特性、及び／又は粒子の懸濁性能の観点から、適切に機能的であり、審美的に満足できる液体組成物に到達することである。
【００６２】
一般的に、レオロジー変性剤は組成物全体の０．００１重量％〜３重量％、好ましくは０．０１重量％〜１重量％、より好ましくは０．０２重量％〜０．８重量％の濃度で含まれる。レオロジー変性剤は、非ポリマー結晶性のヒドロキシ官能性材料、及び／又はポリマーレオロジー変性剤から選択され、組成物の水性液体マトリックスにずり減粘特性（shear thinning characteristics）を付与する。具体的な、好適な結晶性、ヒドロキシル含有レオロジー変性剤としてはひまし油及びその誘導体が挙げられる。特に好ましいものは、硬化ヒマシ油及び水素添加キャスターワックスなどの硬化ヒマシ油誘導体である。市販のひまし油系の結晶性、ヒドロキシル含有レオロジー変性剤としては、Ｒｈｅｏｘ，Ｉｎｃ．（現Ｅｌｅｍｅｎｔｉｓ）からのＴＨＩＸＣＩＮ（登録商標）が挙げられる。好適なポリマーレオロジー変性剤としては、ポリアクリレート、多糖又は多糖誘導体のタイプのものが挙げられる。レオロジー変性剤として典型的に用いられる多糖誘導体には、ポリマーゴム材料が含まれる。そのようなゴムとしては、ペクチン、アルギネート、アラビノガラクタン（アラビアゴム）、カラギーナン、ジェランガム、キサンタンガム及びグアーガム、並びにカルボキシメチルセルロースが挙げられる。これらのポリマー性レオロジー変性剤の市販例としては、ＣＰ  Ｋｅｌｃｏ  Ｕ．Ｓ．，Ｉｎｃ．より商品名ＫＥＬＣＯＧＥＬとして市販のＧｅｌｌａｎが挙げられ、特に好ましいものはＣＰＫｅｌｋｏから商品名Ｃｅｌｌｕｌｏｎ（登録商標）として市販の微小繊維セルロース（ＭＦＣ）である。更なる代替の好適なレオロジー変性剤は、溶媒とポリカルボキシレートポリマーとを組み合わせたものである。好ましい実施形態においては、レオロジー変性剤は、不飽和モノ−又はジ−炭酸のポリアクリレート及び（メタ）アクリル酸の１〜３０Ｃアルキルエステルである。そのようなコポリマーは、Ｎｏｖｅｏｎ  Ｉｎｃから商品名Ｃａｒｂｏｐｏｌ  Ａｑｕａ  ３０で入手可能である。
【００６３】
真珠光沢剤
本明細書の組成物は、任意成分として１種以上の真珠光沢剤を含み得る。好適な剤は、真珠光沢効果を生じさせるために光を反射及び屈折することが可能な、結晶性又はガラス状固形の、透明又は半透明化合物である。このような化合物が、有機及び／又は無機の真珠光沢剤のいずれかになり得る。
【００６４】
本発明の組成物が有機真珠光沢剤を含む場合、有機真珠光沢剤には、組成物全体の０．０５重量％〜２．０重量％、好ましくは０．１重量％〜１．０重量％の活性濃度で、１００％活性の有機真珠光沢剤が含まれる。好適な有機真珠光沢剤としては、アルキレングリコールのモノエステル及び／又はジエステルが挙げられる。典型例は、脂肪酸モノエステル、及び／又はエチレングリコール、プロピレングリコール、ジエチレングリコール、ジプロピレングリコール、トリエチレングリコール又はテトラエチレングリコールのジエステルである。市販の脂肪酸エステルの例は、Ｓｔｅｐａｎから入手可能なＰＥＧ６０００ＭＳ（登録商標）、Ａｌｂｒｉｇｈｔ  ＆  Ｗｉｌｓｏｎから入手可能なＥｍｐｉｌａｎ  ＥＧＤＳ／Ａ（登録商標）、又はＳｔｅｐａｎ、Ｐｅａｒｌ−２及びＳｔｅｐａｎ  Ｐｅａｒｌ  ４（Ｓｔｅｐａｎ  Ｃｏｍｐａｎｙ（Ｎｏｒｔｈｆｉｅｌｄ，ＩＬ）により製造）などとして市販の前結晶化有機真珠光沢剤、Ｍａｃｋｐｅａｒｌ  ２０２、Ｍａｃｋｐｅａｒｌ  １５−ＤＳ、Ｍａｃｋｐｅａｒｌ  ＤＲ−１０４、Ｍａｃｋｐｅａｒｌ  ＤＲ−１０６（全てＭｃＩｎｔｙｒｅ  Ｇｒｏｕｐ（Ｃｈｉｃａｇｏ，ＩＬ）により製造）、Ｅｕｐｅｒｌａｎ  ＰＫ９００  Ｂｅｎｚ−Ｗ及びＥｕｐｅｒｌａｎ  ＰＫ  ３０００  ＡＭ（Ｃｏｇｎｉｓ  Ｃｏｒｐにより製造）である。
【００６５】
本発明の組成物が無機真珠光沢剤を含む場合、無機真珠光沢剤には、組成物全体の０．００５重量％〜１．０重量％、好ましくは０．０１重量％〜０．２重量％活性濃度で、１００％活性の無機真珠光沢剤が含まれる。無機真珠光沢剤としてはアルミノケイ酸塩及び／又はホウケイ酸塩が挙げられる。好ましいものは、非常に高い屈折率を有するよう処理されたアルミノケイ酸塩及び／又はホウケイ酸塩であり、好ましくはシリカ、金属酸化物、アルミノケイ酸塩及び／又はホウケイ酸塩コーティングしたオキシ塩化物である。より好ましくは無機真珠光沢はマイカであり、更により好ましくはＢＡＳＦ  Ｍｅａｒｌｉｎ  Ｓｕｐｅｒｆｉｎｅなどの、二酸化チタン処理したマイカである。他の市販の好適な無機真珠光沢剤は、Ｍｅｒｃｋから、商品名Ｉｒｉｏｄｉｎ、Ｂｉｒｏｎ、Ｘｉｒｏｎａ、Ｔｉｍｉｒｏｎ  Ｃｏｌｏｒｏｎａ、Ｄｉｃｈｒｏｎａ、Ｃａｎｄｕｒｉｎ及びＲｏｎａｓｔａｒとして入手可能である。他の市販の無機真珠光沢剤は、ＢＡＳＦ（Ｅｎｇｅｌｈａｒｄ，Ｍｅａｒｌ）から商品名Ｂｉｊｕ、Ｂｉ−Ｌｉｔｅ、Ｃｈｒｏｍａ−Ｌｉｔｅ、Ｐｅａｒｌ−Ｇｌｏ、Ｍｅａｒｌｉｔｅで、Ｅｃｋａｒｔから商品名Ｐｒｅｓｔｉｇｅ  Ｓｏｆｔ  Ｓｉｌｖｅｒ及びＰｒｅｓｔｉｇｅ  Ｓｉｌｋ  Ｓｉｌｖｅｒ  Ｓｔａｒで入手可能である。
【００６６】
真珠光沢剤の粒径（球体の最大直径にわたって測定される）は典型的には、２００マイクロメートル未満、好ましくは１００マイクロメートル未満、より好ましくは５０マイクロメートル未満である。
【００６７】
酵素
本発明の組成物は、本明細書では、場合により、酵素、好ましくは更に手に優しい効果をもたらすプロテアーゼを更に含み得る。
【００６８】
好適なプロテアーゼとしては、動物、植物又は微生物由来のものが挙げられる。微生物由来のプロテアーゼが好ましい。化学的又は遺伝子学的に改変された変異型が含まれる。プロテアーゼは、セリンプロテアーゼ、好ましくはアルカリ性微生物プロテアーゼ又はトリプシン様プロテアーゼであり得る。中性又はアルカリ性細菌プロテアーゼの例には、次のものが含まれる：
（ａ）サブチリシン（ＥＣ  ３．４．２１．６２）、特にバチルス・レンタス（Bacillus lentus）、Ｂ．アルカロフィルス（B. alkalophilus）、Ｂ．サブチリス（B. subtilis）、Ｂ．アミロリケファミレンス（B. amyloliquefaciens）、バチルス・リケノフォルミス（Bacillus licheniformis）、バチルス・プミルス（Bacillus pumilus）及びバチルス・ギブソニィ（Bacillus gibsonii）などのバチルス（Bacillus）から由来するもの、並びに米国特許第６，３１２，９３６（Ｂ１）号、同第５，６７９，６３０号、同第４，７６０，０２５号、同第５，０３０，３７８号、国際公開第０５／０５２１４６号、ドイツ公開特許第６０２２２１６（Ａ１）号及び同第６０２２２２４（Ａ１）号に記載のＣｅｌｌｕｍｏｎａｓ。
（ｂ）トリプシン様プロテアーゼはトリプシン（例えばブタ又はウシ由来）及び国際公開第８９／０６２７０号に記載のＦｕｓａｒｉｕｍプロテアーゼである。
（ｃ）メタロプロテアーゼ、特に国際公開第０７／０４４９９３（Ａ２）号に記載のＢａｃｉｌｌｕｓ  ａｍｙｌｏｌｉｑｕｅｆａｃｉｅｎｓ由来のもの。
【００６９】
酵素は典型的には、組成物全体の０．００００１重量％〜１重量％の濃度で、好ましくは０．０００１重量％〜０．５重量％の濃度で、より好ましくは０．０００１重量％〜０．１％の濃度で組成物中に組み込まれる。
【００７０】
疎水性皮膚軟化剤
本発明の組成物は、本明細書では、場合により、１つ以上の疎水性皮膚軟化剤を更に含んでもよく、これは水分の蒸発を遅らせることにより皮膚を軟らかく又は滑らかにする作用剤である。疎水性皮膚軟化剤は水分の消失を遅らせて、皮膚の表面上に、油層を形成して、皮膚の湿分含量、及び皮膚の水分保持能力を増加させる。疎水性皮膚軟化剤は、皮膚を潤滑にし、皮膚バリア機能を向上させて、皮膚弾力性及び外観を改善する。
【００７１】
好ましくは、本発明による方法において使用される液体洗剤組成物は、高濃度の、典型的には１０重量％までの疎水性皮膚軟化剤を含む。疎水性皮膚軟化剤は好ましくは、組成物全体の０．２５重量％〜１０重量％、より好ましくは０．３重量％〜８重量％、最も好ましくは０．５重量％〜６重量％で存在する。
【００７２】
本明細書の組成物で使用するのに好適な疎水性皮膚軟化剤は、炭化水素油及びワックス；シリコーン；脂肪酸誘導体；グリセリドエステル、ジ及びトリ−グリセリド、アセトグリセリドエステル；アルキル及びアルケニルエステル；コレステロール及びコレステロール誘導体；植物油、植物油誘導体、液体非消化性油、又は液体消化性若しくは非消化性油と固体ポリオールポリエステルとのブレンド；ラノリン及びその誘導体、蜜蝋及びその誘導体、鯨ワックス、キャンデリラ、並びにカルナバワックスなどの天然ワックス；レシチン及びその誘導体などのリン脂質；セラミドなどのスフィンゴ脂質；並びにこれらの類似体及びこれらの混合物である。
【００７３】
好適な炭化水素油及びワックスの例としては、ワセリン、鉱油、微結晶ワックス、ポリアルケン（例えば、水素添加及び非水素添加ポリブテン及びポリデセン）、パラトリン（paratrin）、ケラシン、オゾケライト、ポリエチレン及びペルヒドロスクアレンが挙げられる。好ましい炭化水素油は、ワセリン及び／又はワセリンと鉱油とのブレンドである。
【００７４】
好適なシリコーン系油の例としては、ジメチコーンコポリオール、ジメチルポリシロキサン、ジエチルポリシロキサン、高分子量ジメチコーン、混合Ｃ1〜30アルキルポリシロキサン、フェニルジメチコーン、ジメチコノール、及びこれらの混合物が挙げられる。ジメチコーン、ジメチコノール、混合Ｃ1〜30アルキルポリシロキサン、及びこれらの混合物から選択される不揮発性のシリコーンがより好ましい。
【００７５】
好適なグリセリドエステルの例としては、ヒマシ油、大豆油、マレイン酸化大豆油などの誘導体化された大豆油、ベニバナ油、綿種子油、トウモロコシ油、クルミ油、ピーナツ油、オリーブ油、タラ肝油、アーモンド油、アボカド油、植物油及び植物油誘導体；ココナツ油及び誘導体化されたココナツ油、綿実油及び誘導体化された綿実油、ホホバ油、カカオバターなどが挙げられる。好ましいグリセリドは、ヒマシ油である。
【００７６】
アセトグリセリドエステルも使用することができ、その例は、アセチル化モノグリセリドである。
【００７７】
好ましい疎水性皮膚軟化剤は、ワセリン、鉱油及びワセリンと鉱油とのブレンド；植物油由来のものなどのトリグリセリド；油性糖誘導体；蜜蝋；ラノリン油、ラノリンワックス、ラノリンアルコール、ラノリン脂肪酸、ラノリン酸イソプロピル、セチル化ラノリン、アセチル化ラノリンアルコール、リノール酸ラノリンアルコール、ラノリンアルコールリコノレート（lanolin alcohol riconoleate）を含むがこれらに限定されないラノリン及びその誘導体；エトキシル化ラノリンである。
【００７８】
より好ましい疎水性皮膚軟化剤は、ワセリン；ワセリンと鉱油のブレンド（ワセリン：鉱油の比は９０：１０〜５０：５０にわたり、好ましくは７０：３０である）；植物油及び植物ワックス（ヒマシ油及びカルナバワックスなど）；ワセリンと植物油（ヒマシ油など）のブレンド；油性糖誘導体（例えば、エステル化及び／又はエーテル化されており、少なくとも２個以上のエステル又はエーテル基は独立してＣ８〜Ｃ２２アルキル又はアルケニル鎖に結合しており、これらの鎖は直鎖又は分枝鎖である環式ポリオール誘導体又は還元糖誘導体のヒドロキシル基の３５％〜１００％から生じる環式ポリオール誘導体又は還元糖誘導体である国際公開第９８／１６５３８号に教示されているもの）である。本発明に関連した場合、用語「環式ポリオール」は糖のすべての形態を包含する。単糖及び二糖が特に好ましい。単糖の例としては、キシロース、アラビノース、ガラクトース、フルクトース、及びグルコースが挙げられる。還元糖の例はソルビタンである。二糖の例は、スクロース、ラクトース、マルトース及びセロビオースである。スクロースがとりわけ好ましい。特に好ましいのは、４つ以上のエステル基を持つスクロースエステルである。これらは、商標名Ｓｅｆｏｓｅ（登録商標）でＰｒｏｃｔｅｒ  ＆  Ｇａｍｂｌｅ  Ｃｈｅｍｉｃａｌｓ（Ｃｉｎｃｉｎｎａｔｉ  Ｏｈｉｏ）から市販されている。
【００７９】
更により好ましい疎水性皮膚軟化剤は、ワセリン、鉱油、ヒマシ油、天然ワックス、例えば、蜜蝋、カルナバ、鯨ワックス、Ｆｌｕｉｌａｎの商標名でＣｒｏｄａ  Ｉｎｔｅｒｎａｔｉｏｎａｌから販売されている液体ラノリン又はラノリン油などのラノリン及びラノリン誘導体など、並びにラノリン誘導体、例えばＳｏｌａｎ  Ｅの商標名でＣｒｏｄａ  Ｉｎｔｅｒｎａｔｉｏｎａｌから販売されているエトキシル化ラノリン（ＰＥＧ−７５ラノリン）などである。最も好ましい疎水性皮膚軟化剤は、ワセリン、鉱油、ヒマシ油、及びこれらの混合物である。
【００８０】
保湿剤
本発明の組成物は、本明細書では、場合により、組成物全体の０．１重量％〜５０重量％、好ましくは１重量％〜２０重量％、より好ましくは１重量％〜１０重量％、更により好ましくは１重量％〜６重量％、最も好ましくは２重量％〜５重量％の濃度で１つ以上の保湿剤を含んでもよい。
【００８１】
本発明に従って使用できる保湿剤としては、水への親和性を示し、基材への、好ましくは皮膚への水の吸収を高める助けをする物質が挙げられる。好ましい保湿剤はポリオールであり、又はグリセロール、ジグリセロール、ソルビトール、プロピレングリコール、ポリエチレングリコール、ブチレングリコールなどを含有するカルボキシル並びに／又はピドロ酸及びその塩であり、グリセロール（Ｐｒｏｃｔｅｒ  ＆  Ｇａｍｂｌｅ  ｃｈｅｍｉｃａｌｓより市販）、ソルビトール、乳酸ナトリウム及び尿素又はこれらの混合物からなる群から選択される保湿剤が最も好ましい。
【００８２】
洗浄ポリマー
本明細書の食器手洗い用液体組成物は、所望により更に１種以上のアルコキシル化ポリエチレンイミンポリマーを含み得る。組成物には、国際公開第２００７／１３５６４５号（Ｐｒｏｃｔｅｒ  ＆  Ｇａｍｂｌｅ  Ｃｏｍｐａｎｙ）の２頁３３行目〜５頁５行目に記載され、５〜７頁の実施例１〜４に例示されるように、組成物全体の０．０１重量％〜１０重量％、好ましくは０．０１重量％〜２重量％、より好ましくは０．１重量％〜１．５重量％、更により好ましくは０．２重量％〜１．５重量％のアルコキシル化ポリエチレンイミンポリマーが含まれ得る。
【００８３】
本組成物のアルコキシル化ポリエチレンイミンポリマーは、重量平均分子量が４００〜１００００、好ましくは４００〜７０００、あるいは３０００〜７０００のポリエチレンイミン主鎖を有する。ポリエチレンイミン主鎖のアルコキシル化としては、（１）ポリエチレンイミン主鎖中の内部窒素原子又は末端窒素原子にて修飾が生じるかどうかによって、窒素原子１個あたり１又は２個のアルコキシル化修飾であって、このアルコキシル化修飾が、修飾１個あたり平均約１〜約４０個のアルコキシ部分を有するポリアルコキシレン鎖上の水素原子の置換からなり、アルコキシル化修飾の末端アルコキシ部分が水素、Ｃ1〜Ｃ4アルキル、又はこれらの混合物で末端封鎖されるアルコキシル化修飾、（２）窒素原子１個あたり１つのＣ1〜Ｃ4アルキル部分又はベンジル部分の置換及びポリエチレンイミン主鎖中の内部窒素原子又は末端窒素原子にて置換が生じるかどうかによって１つ又は２つのアルコキシル化修飾であって、このアルコキシル化修飾が、修飾１個あたり平均約１〜約４０個のアルコキシ部分を有するポリアルコキシレン鎖による水素原子の置換からなり、末端アルコキシ部分が水素、Ｃ1〜Ｃ4アルキル、又はこれらの混合物で末端封鎖されている置換及び修飾、あるいは（３）これらの組み合わせが挙げられる。
【００８４】
この組成物には、更に、グラフトベースとしての水溶性ポリアルキレンオキシド（Ａ）、及びビニルエステル成分（Ｂ）の重合により生成される側鎖に基づく両親媒性グラフトポリマーを含むことができ、上記ポリマーは、ＢＡＳＦの特許出願、国際公開第２００７／１３８０５３号の２ページ１４行〜１０ページ３４行に記載され、１５〜１８ページに例示されるように、アルキレンオキシド単位５０個あたり平均１以下のグラフト部位を有し、平均分子量（Ｍｗ）は３，０００〜１００，０００である。
【００８５】
マグネシウムイオン
利用される場合、マグネシウムイオンは好ましくは水酸化物、塩化物、酢酸塩、硫酸塩、ギ酸塩、酸化物又は硝酸塩として本発明の組成物に、典型的には組成物全体の０．０１重量％〜１．５重量％、好ましくは０．０１５重量％〜１重量％、より好ましくは０．０２５重量％〜０．５重量％の活性レベルにて添加される。
【００８６】
ジアミン
本発明による組成物の別の任意成分は、ジアミンである。液体洗剤組成物のユーザーの習慣及びやり方は著しいばらつきを示すので、組成物は、好ましくは組成物の０重量％〜１５重量％、好ましくは０．１重量％〜１５重量％、好ましくは０．２重量％〜１０重量％、より好ましくは０．２５重量％〜６重量％、より好ましくは０．５重量％〜１．５重量％の、少なくとも１つのジアミンを含有する。
【００８７】
好ましい有機ジアミンは、ｐＫ１及びｐＫ２が８．０〜１１．５の範囲内、好ましくは８．４〜１１の範囲内、更により好ましくは８．６〜１０．７５であるものである。好ましい物質としては、１，３−ビス（メチルアミン）−シクロヘキサン（ｐＫａ＝１０〜１０．５）、１，３−プロパンジアミン（ｐＫ１＝１０．５、ｐＫ２＝８．８）、１，６−ヘキサンジアミン（ｐＫ１＝１１、ｐＫ２＝１０）、１，３−ペンタンジアミン（ＤＹＴＥＫ  ＥＰ（登録商標））（ｐＫ１＝１０．５、ｐＫ２＝８．９）、２−メチル１，５−ペンタンジアミン（ＤＹＴＥＫ  Ａ（登録商標））（ｐＫ１＝１１．２、ｐＫ２＝１０．０）が挙げられる。他の好ましい材料としては、Ｃ4〜Ｃ8の範囲のアルキレンスペーサーを有する、第一級／第一級ジアミンが挙げられる。一般的に、第一級ジアミンは第二級及び第三級ジアミンと比べて好ましいと考えられている。同様の様式で本明細書で用いられるｐＫａは化学分野の当業者には一般的に既知である：全水溶液２５℃下、イオン強度が０．１〜０．５Ｍの間。本明細書に参照される値は「Ｃｒｉｔｉｃａｌ  Ｓｔａｂｉｌｉｔｙ  Ｃｏｎｓｔａｎｔｓ：Ｖｏｌｕｍｅ  ２，Ａｍｉｎｅｓ」（Ｓｍｉｔｈ  ａｎｄ  Ｍａｒｔｅｌ，Ｐｌｅｎｕｍ  Ｐｒｅｓｓ，ＮＹ  ａｎｄ  Ｌｏｎｄｏｎ，１９７５）などの文献により得ることができる。
【００８８】
カルボン酸
本発明による液体洗剤組成物は、組成物のすすぎの感触を向上させるために、直鎖若しくは環式カルボン酸又はその塩を含んでもよい。アニオン性界面活性剤が存在する場合、特に組成物全体の１５〜３５重量％の範囲で多量に存在する場合、使用者の手及び食器にぬるりとした感触を与える組成物になる。
【００８９】
本明細書で有用なカルボン酸としては、Ｃ1〜6の直鎖状の酸、又は少なくとも３個の炭素を含有する環状の酸が挙げられる。カルボン酸又はその塩の、直鎖若しくは環状炭素含有鎖は、ヒドロキシル基、エステル基、エーテル基、１〜６個の、より好ましくは１〜４個の炭素原子を有する脂肪族基、及びこれらの混合物からなる群から選択される置換基で、置換することができる。
【００９０】
好ましいカルボン酸は、サリチル酸、マレイン酸、アセチルサリチル酸、３−メチルサリチル酸、４−ヒドロキシイソフタル酸、ジヒドロキシフマル酸、１，２，４ベンゼントリカルボン酸、ペンタン酸及びこれらの塩、クエン酸及びこれらの塩、並びにこれらの混合物からなる群から選択されるものである。カルボン酸が塩の形態で存在する場合、その塩のカチオンは、好ましくは、アルカリ金属、アルカリ土類金属、モノエタノールアミン、ジエタノールアミン、又はトリエタノールアミン、並びにこれらの混合物から選択される。
【００９１】
カルボン酸又はその塩は、存在する場合、好ましくは組成物全体の０．１重量％〜５重量％、より好ましくは０．２重量％〜１重量％、最も好ましくは０．２５重量％〜０．５重量％の濃度で存在する。
【００９２】
キレート剤
本発明の組成物は、キレート剤を組成物の総量の０．１重量％〜２０％重量％、好ましくは０．２重量％〜５重量％、より好ましくは０．２重量％〜３重量％の濃度で含む。
【００９３】
好適なキレート剤は、アミノカルボキシレート、アミノホスホネート、多官能置換された芳香族キレート剤、及びこれらの混合物からなる群から選択することができる。本明細書において用いるのに好ましいキレート剤は、アミノ酸系キレート剤、好ましくはグルタミン酸−Ｎ，Ｎ−二酢酸（ＧＬＤＡ）、メチル−グリシン−二酢酸（ＭＧＤＡ）及び誘導体並びに／又はホスホネート系キレート剤、好ましくはジエチレントリアミンペンタメチルホスホン酸である。
【００９４】
他の任意成分：
本明細書における液体洗剤組成物は、香料、染料、乳白剤、光沢ポリマー、スクラブ又は洗浄粒子、溶媒、ヒドロトロープ、泡安定剤／促進剤、防腐剤、消毒剤及びｐＨ緩衝手段などの液体洗剤組成物での使用に好適な多くの他の任意成分を更に含むことができる。
【００９５】
本発明の液体洗剤組成物は、使用のために液体洗剤組成物を供給するためのいかなる好適なパッケージ内に包装されてもよい。好ましくは、パッケージは、ガラス又はプラスチック製の透明なパッケージである。
【実施例】
【００９６】
実施例Ａ：下表は、脱イオン水での５重量％希釈にて測定された、示されているカチオン性ポリマーを０．１％含む実施例Ｃ／１に記載の手洗い用食器洗浄組成物のコアセルベーション指数（２回の測定値の平均±標準偏差）を示す。組成物１及び２は、必要とされるコアセルベーション指数を提供せず、したがって、本発明の範囲から脱落する。組成物３〜７は、必要とされる２．５％を超えるコアセルベーション指数を示し、したがって、食器洗浄プロセスで使用すると、食器手洗いプロセス中に非常に効率的な皮膚調湿をもたらし、一方で、非常に対費用効果に優れた方式で必要とされる洗浄及び泡立ち特性を維持する。更に、水溶液としてのこれらのポリマーは、容易に加工するのに適したレオロジー特性を有する。
【００９７】
【表１】
2014511415.tif 000003
*  １つのデータ点しか利用できなかった
【００９８】
実施例Ｂ：下表は、脱イオン水での５％希釈及び１５ｇｐｇの水硬度を有する水での５％希釈にて測定された、記載のカチオン性ポリマーを０．１％含む実施例Ｃ／１に記載の食器手洗い用洗浄組成物のコアセルベーション指数（２回の測定値の平均±標準偏差）を示す。０ｇｐｇ又は１５ｇｐｇの硬度を有する水で希釈されたときのコアセルベーション指数を維持する（すなわち、好ましい６％を超えるコアセルベーション指数を維持する）食器手洗い用洗浄組成物が、好ましい。実際、このような組成物は、使用される地域の水硬度から独立して、本発明の方法において非常に効率的な手のケア、泡立ち及び洗浄性能をもたらす。下表から読み取ることができるように、組成物３、４及び５は、組成物６及び７よりも好ましい。
【００９９】
【表２】
2014511415.tif 000004
*  １つのデータ点しか利用できなかった
【０１００】
実施例Ｃ：本発明の方法において使用される食器手洗い用液体組成物
【０１０１】
【表３】
2014511415.tif 000005
【０１０２】
【表４】
2014511415.tif 000006
【０１０３】
【表５】
2014511415.tif 000007
微量成分*：染料、乳白剤、香料、防腐剤、ヒドロトロープ、Ｍｇ−イオン、ジアミン、加工助剤及び／又は安定剤
【０１０４】
本明細書に開示される寸法及び値は、列挙された正確な数値に厳密に限定されるものとして理解されるべきではない。それよりむしろ、特に規定がない限り、こうした各寸法は、列挙された値とその値周辺の機能的に同等の範囲との両方を意味することを意図している。例えば、「４０ｍｍ」として開示された寸法は、「約４０ｍｍ」を意味することを意図する。
【０１０５】
相互参照されるか又は関連するすべての特許又は特許出願を含む、本願に引用されるすべての文書を、特に除外すること又は限定することを明言しないかぎりにおいて、その全容にわたって本願に援用するものである。いずれの文献の引用も、こうした文献が本願で開示又は特許請求されるすべての発明に対する先行技術であることを容認するものではなく、また、こうした文献が、単独で、あるいは他のすべての参照文献とのあらゆる組み合わせにおいて、こうした発明のいずれかを参照、教示、示唆又は開示していることを容認するものでもない。更に、本文書において、用語の任意の意味又は定義の範囲が、参考として組み込まれた文書中の同様の用語の任意の意味又は定義と矛盾する場合には、本文書中で用語に割り当てられる意味又は定義に準拠するものとする。
【０１０６】
本発明の特定の実施形態が例示され記載されてきたが、本発明の趣旨及び範囲から逸脱することなく他の様々な変更及び修正を実施できることが、当業者には自明であろう。したがって、本発明の範囲内にあるそのようなすべての変更及び修正を添付の特許請求の範囲で扱うものとする。
【国際調査報告】
2014511415.tif 000008
2014511415.tif 000009
2014511415.tif 000010